(57)【要約】【課題】コンクリート建築物の梁等に貫通孔を形成する際、コンクリート内に埋設されるスリーブと補強筋との両者を接続可能な連結具を提供する。【解決手段】螺子棒１および螺子棒１の先端に設けられる非腐蝕性材からなる当接体２とを有してなるスリーブ押付体３と、螺子棒１に螺合するナット部材５およびこのナット部材５と一体に形成され補強金１０を支持する捕捉手段６とを有してなる補強筋連結体４と、を具えて連結具を構成する。【選択図】    図２
2004225327.tif 000002
【特許請求の範囲】
【請求項１】
コンクリート建造物の梁等に貫通孔を形成する際、コンクリート内に埋設される、スリーブと、補強筋と、の両者を接続するための連結具であって、このスリーブと補強筋の連結具を、螺子棒およびこの螺子棒の先端に設けられる非腐食性材からなる当接体とを有してなるスリーブ押付体と、前記螺子棒に螺合するナット部材およびこのナット部材と一体に形成され補強筋を支持する捕捉手段とを有してなる補強筋連結体と、を具えて構成したことを特徴とするスリーブと補強筋の連結具。
【請求項２】
前記補強筋連結体の捕捉手段は、補強筋連結体のナット部材に固着された一本あるいは複数本の結束線により構成したことを特徴とする請求項１記載のスリーブと補強筋の連結具。
【請求項３】
前記補強筋連結体の捕捉手段は、補強筋連結体のナット部材と一体に形成され前記スリーブ押付体の後端に向うにしたがいスリーブ押付体から距離をおくよう傾斜する捕捉片によって構成したことを特徴とする請求項１記載のスリーブと補強筋の連結具。
【請求項４】
前記補強筋連結体の捕捉手段は、補強筋を保持するための湾曲部を有してなり、補強筋連結体のナット部材に固着される針金により構成したことを特徴とする請求項１記載のスリーブと補強筋の連結具。
【発明の詳細な説明】
【０００１】
【発明の属する技術分野】
この発明は、コンクリート建造物の梁や壁等に貫通孔を形成する際、コンクリート内に埋設される、スリーブと、補強筋と、の両者を接続するための連結具に関するものである。
【０００２】
【従来の技術】
鉄筋コンクリート建造物の梁や壁等に対して各種の配管を通すための貫通孔を形成するには、まず紙管や塩化ビニール管からなる円筒状のスリーブを鉄筋に支持させ、次いで型枠設置後においてこのスリーブの上方から型枠内にコンクリートを打ち込む。そして、コンクリートの固化後に型枠を外すことによってスリーブ設置位置には貫通孔が形成され、このスリーブは抜き出されるか、またはその場に固定される。そして、形成した貫通孔に目的の配管を通した後、必要に応じて貫通孔内に再びコンクリートが打ち込まれ一連の作業は終了する。
【０００３】
ところで、貫通孔の開口部周縁の強度を確保するため、今日では貫通孔用の補強筋が広く利用されている。図９に示す１０は貫通孔用の補強筋であり、この補強筋１０はスリーブＳが挿通可能な適宜の大きさをなした環状の鉄筋部材と、スリーブＳの下方側に接する２本の支え足と、を備えて構成されている。
【０００４】
この補強筋１０およびスリーブＳを鉄筋に対して設置するには、スリーブＳの両端部の近傍に一対の補強筋１０をそれぞれ通し、この補強筋１０の支え足上にスリーブＳの両端部をそれぞれ載置させ、補強筋１０と鉄筋とが重なる各部位を針金や紐からなる複数本の結束線によって連結する。そして、この補強筋１０を複数の結束線とともにコンクリート内に埋設することによって該当部位の強度を確保する。
【０００５】
なお、こうした貫通孔用の補強筋は今日において種々の形状のものが提案されていて、一本の鉄筋を複数回折り曲げて環状にしたもの、あるいは図１０に示す補強筋１０のように複数の鉄筋環状体を重ね合わせ接触部位を溶接して構成したもの等が利用されている。
また、大小のスリーブに適応するため、補強筋もまた大小のものが提供されていて、補強筋を構成する鉄筋の太さもまちまちである。
【０００６】
【非特許文献１】
特開２０００−１３６５９７号公報
【非特許文献２】
特開平１１−１９３５９９号公報
【０００７】
【発明が解決しようとする課題】
しかしながら、上記従来のスリーブ補強筋には次に挙げる不都合がある。
図９に示すように補強筋１０上に載せられたスリーブＳは、コンクリートの打ち込み時において位置ずれを起こし、これによって梁等に形成する貫通孔に位置ずれが生じるという看過できない重大な問題が発生する事がある。
【０００８】
すなわち、補強筋１０は複数の結束線によって鉄筋に固定されているが、スリーブＳにおいては補強筋１０の２本の支え足に載せたのみの不安定な状態となっているのでこの状態においてコンクリートを打ち込むと、スリーブＳがコンクリートの流動圧によって左右前後に揺動することになる。また、コンクリートがスリーブＳの下端に達するまで打ち込まれると、コンクリートよりも軽いスリーブＳはコンクリートの上面へと浮き上がり、コンクリート上面の上昇とともに上方へと移動することになる。
【０００９】
こうした不都合を解消するため、従来においては図１１に示すように補強筋１０の幅よりも充分に長い鉄棒１１を用意し、この鉄棒１１の中央部位をスリーブＳの上端部に接触させ、鉄棒１１と鉄筋とが重なる各部位を複数の結束線によって連結固定するようにしている。すなわち、スリーブＳを補強筋１０と鉄棒１１との両者によって鉄筋に対し強固に固定することによってコンクリートの打ち込み時においてもスリーブＳが揺動あるいは移動することがないようにする対策がとられている。
【００１０】
しかしながら、図１１に示すような鉄棒１１を複数本予め用意するとともに、これら鉄棒１１をスリーブＳに接触させた状態で鉄筋に対して固定するには煩雑で時間を要する作業を余儀なくされ、このスリーブ設置作業の能率を低下させる要因ともなっていた。
【００１１】
また、上述の作業時における問題とは別に、スリーブＳを固定するための鉄棒１１の存在は建造物の耐久性を低下させるという問題もある。すなわち、鉄棒１１はスリーブＳの上端と接触しているので、コンクリートの固化後においてスリーブＳを抜き出すと形成された貫通孔の内壁面（中央上部）には鉄棒１１の表面が一部露出した状態となる。換言すれば鉄棒１１とコンクリート表面との間に、当業者間で「かぶり厚」と称されるコンクリートの厚みを確保することが出来ないという問題が生じ、これによってこの鉄棒１１の露出部から鉄筋へと腐蝕が進行する虞がある。
【００１２】
【課題を解決するための手段】
この発明に係るスリーブと補強筋の連結具は、上記従来の課題を解決するためになされたものであり、スリーブと補強筋の連結具を、螺子棒およびこの螺子棒の先端に設けられる非腐食性材からなる当接体とを有したスリーブ押付体と、前記螺子棒に螺合するナット部材およびこのナット部材と一体に形成され補強筋を支持する捕捉手段とを有してなる補強筋連結体と、を具えて構成する。
【００１３】
そして、前記補強筋連結体の捕捉手段は、補強筋連結体のナット部材に固着された一本あるいは複数本の結束線により構成する。
【００１４】
また、前記補強筋連結体の捕捉手段を、補強筋連結体のナット部材と一体に形成され前記スリーブ押付体の後端に向うにしたがいスリーブ押付体から距離をおくよう傾斜する捕捉片によって構成する。
【００１５】
あるいはまた、前記補強筋連結体の捕捉手段を、補強筋を保持するための湾曲部を有し、補強筋連結体のナット部材に固着される針金によって構成する。
【００１６】
以上のようにスリーブと補強筋の連結具を構成し、スリーブを補強筋に対して押し付けこれら両者を連結することによって上記従来の課題を解決しようとするものである。
【００１７】
【発明の実施の形態】
図面に基づいてこの発明の実施の形態を説明する。
図１はこの発明の請求の範囲第１項および第２項に係るスリーブと補強筋の連結具を示す分解斜視図である。
【００１８】
図１において３はスリーブ押付体であり、このスリーブ押付体３は、螺子棒１と、この螺子棒１の先端（図では下端）に設けられ頭部に丸みを帯びた当接体２と、から構成されている。また、この螺子棒１の上端にはドライバーの係合溝が形成されている。
【００１９】
なお、スリーブ押付体３の当接部２は非腐食性の素材から形成されており、その材料は特に限定されるものではないが、例えば、樹脂材、あるいは打ち込まれるコンクリートと同程度の硬度かそれ以上の硬度を有するコンクリート、モルタルによって形成するのが好ましい。
【００２０】
一方、図に示す４は補強筋連結体であり、この補強筋連結体４は、ナット部材５と、捕捉手段６と、から構成されている。
ナット部材５は前記スリーブ押付体１の螺子棒１に螺合する螺子孔部を有していて、図においては一例として円筒形のものを示すがその外形は特に限定されるものではなく、例えばナットとして広く利用される六角筒形状のものを用いても良い。
【００２１】
そして、捕捉手段６はナット部材５に対して固着される結束線により構成されていて、この例において結束線は二本設けられ、それぞれ中央位置がナット部材５に溶着されている。
【００２２】
以上構成からなるスリーブと補強筋の連結具の使用時における作用を図２および図３により説明する。
まず、スリーブＳを補強筋１０の支え足の上に載せ、図２および図３に示すようにスリーブと補強筋の連結具をスリーブＳ上方に位置する補強筋１０に対し結束線６により固定する。
なお、結束線６は当業者間では周知の通称「ハッカー」と称される道具によって容易に結束可能である。また、周知のように結束線は自由に形状を変化させることが可能であるので、補強筋１０の鉄筋太さや鉄筋本数に関わらずあらゆる補強筋１０に結束可能である。
【００２３】
次いで上述の補強筋１０への結束作業後、螺子棒１を回転させてスリーブ押付体３の当接体２によってスリーブＳの上部を押さえ付ける。この際、螺子棒１は手動で回転させることも出来るが、頭部に設けられたドライバー溝を利用し、電動ドライバー等で螺子棒１を回転させるようにすれば作業はより容易なものとなる。
【００２４】
以上のように連結具を設置することによって、図２の矢符に示すように、スリーブ押付体３はスリーブＳとともに下方へ、また補強筋連結体４は補強筋１０とともに上方へ、とそれぞれ移動しようとする力が生じ、スリーブＳと補強筋１０との両者はしっかりと固定される。そして、この連結具は補強筋１０およびスリーブＳとともにコンクリート内に埋設される。
【００２５】
これによってコンクリートの打ち込み時におけるスリーブＳの位置ずれ、換言すれば貫通孔の位置ずれを完全に防止することが出来る。また、スリーブ押付体１の先端には非腐蝕材からなる当接体２が設けられているのでスリーブＳを抜き出した後に貫通孔の内壁面に鉄筋が露出してしまうこともない。
【００２６】
次に図４ないし図６によってこの発明の請求範囲第１項および第３項に係るスリーブと補強筋の連結具の説明をする。なお、図１ないし図３に示した連結具と同一箇所には同一符号を付して重複説明は省略する。
【００２７】
この連結具の補強筋連結体４は、中央部が適度な角度で折り返されてなる断面「く」の字状の鉄板によって形成されている。そして補強筋連結体４は図に示すように中央部の折り返し部を境にして二つの平坦面が形成され、その一面の中央部に螺子孔を設けることでナット部材５が形成されている。
【００２８】
また、補強筋連結体４の他面側は、スリーブ押付体３と連結した際、図５に示すように所定角度を有して上方へ立ち上がる捕捉片７となり、この捕捉片７の上面はスリーブ押付体３の後端（上端）に向うにしたがいスリーブ押付体３から距離をおく傾斜面となる。
【００２９】
以上の構成からなる連結具は、図５および図６に示すように捕捉片７によって補強筋１０を下方側から持ち上げるように支持することが出来る。
【００３０】
なお、補強筋１０を構成する鉄筋は上述のように太さがまちまちで、更に補強筋１０には図１０に示すように２本の鉄筋を溶接して構成したものもあるが、この連結具の捕捉片７は、上方に向けて傾斜しているので、補強筋１０の鉄筋の太さや鉄筋の本数にかかわらず、どのような補強筋１０であっても適正に支持可能である。
【００３１】
このスリーブと補強筋の連結具も上述の連結具と同様に、スリーブＳを補強筋１０に対してしっかりと固定可能であり、また、スリーブＳを抜き出した後に貫通孔の内壁面に鉄筋が露出してしまうこともない。
【００３２】
一方図７は、図５および図６に示したスリーブと補強筋の連結具の螺子棒１を長く形成した例を示すものである。この螺子棒１は図に示すように先端部近傍のみに螺子部を備えている。
この長手の螺子棒１を具えてなる連結具は作業者の手が届かない位置にあるスリーブ、例えば床面下方（作業場下方）に設置されるスリーブを固定する際に便利であり、螺子棒１の上端部に設けられたドライバー溝を利用して螺子棒１を回転させることで離れた位置にセットされたスリーブを無理なく固定することが出来る。
【００３３】
一方図８は、この発明の請求範囲第１項および第４項に係るスリーブと補強筋の連結具の一構成例を示す外観斜視図である。次に図８にもとづいてこの連結具の説明をする。なお、上述の連結具と同一箇所には同一符号を付して重複説明は省略する。
【００３４】
この連結具は、円筒形状のナット部材５と、このナット部材５に溶着される捕捉手段としての針金８と、からなる補強筋連結体４を具えている。
この針金８は、図に示すようにＵ字形状の一対の湾曲部８ａ、８ａを具えていて、これら各湾曲部８ａはいずれも補強筋１０を下方側から持ち上げるようにして支持することが出来る。また、この湾曲部８ａは補強筋１０の太さに応じて適宜にその形状を変化させることが出来るので、大小いずれの補強筋１０であっても無理なく支持可能である。
【００３５】
また、各湾曲部８ａの間には湾曲突出部８ｂが設けられ、この湾曲突出部８ｂは、スリーブＳと補強筋１０との両者を設置箇所へと下降させる際、吊り下げ用ロープのフックとして利用可能である。
なお、こうした形状をなす針金８は、一本の針金を所定の形状に変形させる周知の技術（マルチフォーミング）によって安価かつ短時間で生産可能である。
この連結具も上述の連結具と同様に、補強筋１０とスリーブＳとの両者の間に介在しこれら両者をしっかりと連結することが出来る。
【００３６】
【発明の効果】
この発明に係るスリーブと補強筋の連結具は、以上説明したように螺子棒と当接体とからなるスリーブ押付体と、このスリーブ押付体に螺合するナット部材および補強筋を支持する捕捉手段からなる補強筋連結体と、を具えて構成したので次に挙げる効果を有する。
【００３７】
このスリーブと補強筋の連結具によれば、スリーブと補強筋との両者を揺動することなくしっかりと連結する事が出来、これによってコンクリート打ち込み時のスリーブの揺動から生じる貫通孔の位置ずれを解消することが可能である。
【００３８】
また、鉄棒を利用してスリーブを固定する煩雑な作業を省略するとともに、スリーブ押付体の非腐蝕材からなる当接体によってコンクリート表面からの鉄棒の露出問題を解決する事が出来、作業能率の向上とともに建造物の耐久性を確保することが可能となる。
【図面の簡単な説明】
【図１】この発明の請求の範囲第１項および第２項に係るスリーブと補強筋の連結具の一実施形態を示す分解斜視図である。
【図２】図１に示した連結具の使用状態を示す側面図である。
【図３】図１に示した連結具の使用状態を示す正面図である。
【図４】この発明の請求の範囲第１項および第３項に係るスリーブと補強筋の連結具の一実施形態を示す分解斜視図である。
【図５】図４に示した連結具の使用状態を示す側面図である。
【図６】図４に示した連結具の使用状態を示す正面図である。
【図７】この発明の請求の範囲第１項および第３項に係るスリーブと補強筋の連結具の螺子棒を長めに構成した例を示す外観斜視図である。
【図８】この発明の請求の範囲第１項および第４項に係るスリーブと補強筋の連結具の一実施形態を示す分解斜視図である。
【図９】従来の例として、補強筋とスリーブとの両者を鉄筋に設置した状態を示す外観斜視図である。
【図１０】複数の鉄筋環状体を重ね合わせ接触部位を溶接してなる補強筋を示す正面図である。
【図１１】従来の技術として鉄棒と結束線とを利用してスリーブを固定する例を示す正面図である。
【符号の説明】
１    螺子棒
２    当接体
３    スリーブ押付体
４    補強筋連結体
５    ナット部材
６    捕捉手段（結束線）
７    捕捉手段（捕捉片）
８    捕捉手段（針金）
１０  補強筋
Ｓ    スリーブ
【図１】
2004225327.tif 000003
【図２】
2004225327.tif 000004
【図３】
2004225327.tif 000005
【図４】
2004225327.tif 000006
【図５】
2004225327.tif 000007
【図６】
2004225327.tif 000008
【図７】
2004225327.tif 000009
【図８】
2004225327.tif 000010
【図９】
2004225327.tif 000011
【図１０】
2004225327.tif 000012
【図１１】
2004225327.tif 000013